(57)【要約】【課題】  ビデオクリップの作成方法や配信方法にはこだわらず、視聴者に快適なビデオクリップの利用方法を提供することのできるビデオクリップ表示装置を提供する。【解決手段】  テレビ放送を受信し番組を表示する映像表示装置の表示部６０上またはテレビ放送を受信し番組を録画する映像録画装置の表示部６０上に、番組のビデオクリップを表示するビデオクリップ表示装置であって、番組に対するビデオクリップを取得するビデオクリップ取得部３０と、ビデオクリップ取得部３０により取得されたビデオクリップと番組の番組情報と関連づけて保存する記憶保持部４０と、番組のビデオクリップを再生し、表示部６０上に表示するためのクリップモード処理を行う制御部７０とを備えた。【選択図】  図１
2006191348.tif 000002
【特許請求の範囲】
【請求項１】
テレビ放送を受信し番組を表示する映像表示装置の表示部上またはテレビ放送を受信し番組を録画する映像録画装置の表示部上に、前記番組のビデオクリップを表示するビデオクリップ表示装置であって、
前記番組に対するビデオクリップを取得するビデオクリップ取得部と、
前記ビデオクリップ取得部により取得された前記ビデオクリップと前記番組の番組情報とを関連づけて保存する記憶保持部と、
前記番組のビデオクリップを再生し、前記表示部上に表示するためのクリップモード処理を行う制御部とを備えたことを特徴とするビデオクリップ表示装置。
【請求項２】
請求項１記載のビデオクリップ表示装置において、
前記制御部は、前記クリップモードによる前記ビデオクリップの表示の際、前記表示部上に前記クリップモードを示す文字または記号を表示することを特徴とするビデオクリップ表示装置。
【請求項３】
請求項１または２記載のビデオクリップ表示装置において、
前記記憶保持部は、前記ビデオクリップを取得できなかった番組に対する、前記番組のジャンルに対応したデフォルト画像またはデフォルト動画を保存し、
前記制御部は、前記クリップモードによる前記ビデオクリップの表示の際、前記番組に対する前記ビデオクリップが取得できない場合は、前記番組のジャンルに対応したデフォルト画像またはデフォルト動画を表示することを特徴とするビデオクリップ表示装置。
【請求項４】
請求項３記載のビデオクリップ表示装置において、
前記制御部は、前記クリップモードによる前記ビデオクリップの表示の際、前記番組に対する前記ビデオクリップが取得できず、前記番組のジャンルが特定できない場合は前記番組の番組情報を表示することを特徴とするビデオクリップ表示装置。
【請求項５】
請求項１、２、３または４記載のビデオクリップ表示装置において、
前記制御部は、放送中の前記番組を表示しているＴＶモードから、前記クリップモードに移ったとき、前記ＴＶモードで選択されていたチャンネルの現在時刻の番組のビデオクリップを最初に表示することを特徴とするビデオクリップ表示装置。
【請求項６】
請求項１、２、３、４または５記載のビデオクリップ表示装置において、
前記制御部は、前記番組の電子番組情報を表示するＥＰＧモードから、前記クリップモードに移ったとき、前記ＥＰＧモードで選択されていた番組のビデオクリップを最初に表示することを特徴とするビデオクリップ表示装置。
【請求項７】
請求項１、２、３、４、５または６記載のビデオクリップ表示装置において、
前記制御部は、前記クリップモードによる前記ビデオクリップの表示の際、再生中のビデオクリップの表示が終わったときに、次に再生するビデオクリップとして、同時間帯の前のチャンネルまたは次のチャンネルの番組のビデオクリップを再生することを特徴とするビデオクリップ表示装置。
【請求項８】
請求項１、２、３、４、５または６記載のビデオクリップ表示装置において、
前記制御部は、前記クリップモードによる前記ビデオクリップの表示の際、再生中のビデオクリップの表示が終わったときに、次に再生するビデオクリップとして、同じチャンネルの前の時間帯または次の時間帯の番組のビデオクリップを再生することを特徴とするビデオクリップ表示装置。
【請求項９】
請求項１、２、３、４、５または６記載のビデオクリップ表示装置において、
前記制御部は、前記クリップモードによる前記ビデオクリップの表示の際、再生中のビデオクリップの表示が終わったときに、次に再生するビデオクリップとして、同じチャンネルの一定時間前の番組または一定時間後の番組のビデオクリップを再生することを特徴とするビデオクリップ表示装置。
【請求項１０】
請求項７、８または９記載のビデオクリップ表示装置において、
前記制御部は、前記クリップモードによる前記ビデオクリップの表示の際、スキップの指示があると、現在再生中のビデオクリップの再生を終え、次に再生するビデオクリップを再生することを特徴とするビデオクリップ表示装置。
【発明の詳細な説明】
【技術分野】
【０００１】
本発明は、テレビ放送を受信するテレビ、テレビ放送の録画機能を有するテレビ、およびテレビ放送を受信するテレビチューナを内蔵した映像録画装置などにおいて、テレビ放送の番組の一部の映像、または一部の映像・音声を用いて作成されたダイジェストや予告など（以下、ビデオクリップと呼ぶ）を表示するビデオクリップ表示装置に関し、特に、テレビ放送の番組の選択、テレビ放送の番組の予約録画をする際の番組の選択、保存されたテレビ放送の番組の複数の映像データ中から、再生するデータの選択を容易にする技術に関する。
【背景技術】
【０００２】
従来、テレビなどで視聴する番組や録画予約する番組を選択する技術としては、新聞、テレビガイド等の雑誌に掲載されている番組表を用い、チャンネルを選択する方法や、その番組表に掲載されたＧコードを用いて録画予約する方法が一般的に用いられている。
【０００３】
また、近年電子的な番組表（ＥＰＧやｉＥＰＧなど、以下、単にＥＰＧと呼ぶ）を放送波やインターネットから受け、これを用いて番組を選択する方法や録画予約する方法が実用化されている。
【０００４】
また、現在放送中の番組を選択する方法として、次々にチャンネルを換えて各チャンネルを短い時間だけ視聴し、どんな番組があるかを確認して、気に入った番組を選択するという方法（以下、チャンネル連続切り替え法と呼ぶ）が一般的に用いられている。
【０００５】
この方法は新聞やテレビガイドの番組欄を見て番組を選択する方法やＥＰＧを見て番組を選択する方法に比べ、直観的に番組を選択できるため、簡単確実に番組を選択する方法として広く用いられている。
【０００６】
また、画面を縦横４×４の１６に分割し、受信可能なチャンネルを最大１６チャンネル分サムネイル表示し、この中から番組を選択する方法もあり、この機能をチャンネルサーフィンと呼んでいる。
【０００７】
さらに、特許文献１では、ダイジェスト映像をインターネット経由で受け、ＥＰＧの画面内にダイジェスト映像を映す部分を設ける方法や、ＥＰＧ画面内にダイジェスト再生を指示するボタンを設け、この指示に従ってダイジェスト映像を再生する方法が示されており、このダイジェスト映像を利用して番組を選択する方法や録画予約する方法が、文字だけからなるＥＰＧ情報より内容を理解し易く、的確に選択できる方法として紹介されている。
【特許文献１】特開２００３−１６９３１２号公報
【発明の開示】
【発明が解決しようとする課題】
【０００８】
しかしながら、従来のチャンネル連続切り替え法においては、特にデジタル放送に対応する際に以下に述べる問題がある。
【０００９】
テレビ放送では１秒に３０フレーム分の画像情報を送る必要があるが、デジタル放送ではこの画像情報をＭＰＥＧなどに符号化（エンコード）して送られる。例えばＭＰＥＧでは秒３０フレーム中には１画面分の画像情報を持つフレーム（Ｉフレーム）もあるが、前後の画像との差分情報のみが送られ、前後の画像情報を元に生成（復号、デコード）されるフレーム（Ｂフレーム）もある。
【００１０】
このため、チャンネルを切り替えてもＩフレームが送られてくるまでは画像を生成することができないため、Ｉフレームが送られてくるまでの待ち時間と、送られてきた画像情報をデコードするための時間分だけ遅延が生じる。この結果、チャンネルを切り替えてもすぐには画像を見ることができない、即ちスムースにチャンネルを切り替えることができないという第１の問題がある。
【００１１】
また、チャンネル連続切り替え法を使う場合、放送中の映像を用いているため、たまたまＣＭ中であればどんな番組をやっているのかわからない、さらに、番組が切り替わる間のＣＭ中であればこれから始まる番組の情報を取ることはできないため、少し時間をおいてから再度そのチャンネルに切り替えて確認しなければならないという第２の問題がある。
【００１２】
また、チャンネルサーフィンにおいては、１つのチューナで複数のチャンネルの映像を映すためには、時分割でチャンネルを切り替えながら画像情報を取り込まなくてはならないため、１６チャンネル分の映像を映す場合には、本来１秒に３０フレームの画像を映すところ、高々２フレーム程度しか映すことができないため、滑らかな動画像にはできないという第３の問題がある。
【００１３】
デジタル放送では１画面分の画像情報を持つフレーム（Ｉフレーム）を待つ時間とデコード時間のための遅延が加わり、１秒に２フレームを映すことも困難である。
【００１４】
そこで、複数のチャンネルの動画像を滑らかに同時に映すために、そのチャンネル数分のチューナを持つという方法で解決することもできるが、通常の視聴時には必要のないチューナを持たなくてはならず、無駄なコストがかかるという第４の問題がある。
【００１５】
また、特許文献１には主に、テレビ番組からダイジェスト（ビデオクリップ）を作成する方法や番組作成者とダイジェスト作成者とダイジェスト配信者の連携によるダイジェスト付ＥＰＧの提供方法に関する技術に関して開示されており、配信されたダイジェスト（ビデオクリップ）を利用する視聴者の使い勝手についてはあまり考慮されていない。
【００１６】
特許文献１に開示されている視聴者のビデオクリップの利用方法に関する技術としては、ＥＰＧ画面の中にビデオクリップを表示する技術、ＥＰＧ画面にビデオクリップ再生を指示するボタンを設ける技術のふたつが開示されている。
【００１７】
ＥＰＧ画面の中にビデオクリップを表示する場合、表示される画面が小さくなり、番組情報が得にくいという第５の問題がある。例えば番組ＣＭをビデオクリップとして提供された場合、文字情報も重要な情報であり、画面が小さくなると読みにくくなる。
【００１８】
ＥＰＧ画面にビデオクリップ再生を指示するボタンを設ける場合は、毎回ＥＰＧ画面に戻らねばならずチャンネル連続切り替え法のようなスムースな操作性を得ることはできないという第６の問題がある。
【００１９】
また、特許文献１では、チャンネル連続切り替え法に代わる操作方法に関する技術についても言及されていない。
【００２０】
そこで、本発明の目的は、ビデオクリップの作成方法や配信方法にはこだわらず、視聴者に快適なビデオクリップの利用方法を提供することのできるビデオクリップ表示装置を提供することにある。
【課題を解決するための手段】
【００２１】
本発明によるビデオクリップ表示装置は、テレビ放送を受信し番組を表示する映像表示装置の表示部上またはテレビ放送を受信し番組を録画する映像録画装置の表示部上に、番組のビデオクリップを表示するビデオクリップ表示装置であって、番組に対するビデオクリップを取得するビデオクリップ取得部と、ビデオクリップ取得部により取得されたビデオクリップと番組の番組情報とを関連づけて保存する記憶保持部と、番組のビデオクリップを再生し、表示部上に表示するためのクリップモード処理を行う制御部とを備えたものである。
【発明の効果】
【００２２】
本発明によれば、番組を紹介するビデオクリップをあらかじめビデオクリップ表示装置内に保存しておき、チャンネル連続切り替え法で用いる放送中の映像の代わりに保存してあるビデオクリップの映像を用いる新たな映像表示モード（クリップモード）を設けたので、スムースにチャンネルを切り替えることができる。
【００２３】
また、保存されているのは番組を紹介するビデオクリップだけであるため、ＣＭ中で番組の情報が取得できないということはなく、また、次の時間帯のビデオクリップを見ることができる。
【００２４】
また、ビデオクリップ表示装置の記憶保持部にあらかじめ保存されたビデオクリップを用いるため、複数のチャンネル分のビデオクリップを取得するために複数のチューナが必要になることはない。
【００２５】
さらに、ビデオクリップを再生する専用のクリップモードを設けることにより、クリップモード特有の機能や操作方法を設け視聴者の使い勝手を向上させることができる。
【発明を実施するための最良の形態】
【００２６】
以下、本発明の実施の形態を図面に基づいて詳細に説明する。なお、実施の形態を説明するための全図において、同一の部材には原則として同一の符号を付し、その繰り返しの説明は省略する。
【００２７】
＜ビデオクリップ表示装置の構成およびビデオクリップ表示例＞
図１および図２により、本発明の一実施の形態に係るビデオクリップ表示装置の構成およびビデオクリップ表示例について説明する。図１は本発明の一実施の形態に係るビデオクリップ表示装置の構成を示す構成図、図２は本発明の一実施の形態に係るビデオクリップ表示装置のビデオクリップ表示例を示す図である。
【００２８】
図１において、ビデオクリップ表示装置１は、放送波受信部１０、デコード処理部２０、ビデオクリップ取得部３０、記憶保持部４０、映像選択部５０、表示部６０、制御部７０、リモコン受信部８０から構成されている。
【００２９】
また、ビデオクリップ表示装置１は、テレビ放送を受信するテレビ、テレビ放送の録画機能を有するテレビなどの映像表示装置、およびテレビ放送を受信するテレビチューナを内蔵した映像録画装置などに内蔵または接続されており、ビデオクリップ表示装置１内の構成において、テレビや映像録画装置などと共有できるものは、共有される構成となっている。
【００３０】
放送波受信部１０は、放送波を受信し、デコード処理部２０に出力する。
【００３１】
デコード処理部２０は、放送波受信部１０で受信された放送波をデコード処理し、ビデオクリップや放送信号を生成する。
【００３２】
ビデオクリップ取得部３０は、デコード処理部２０でデコード処理されたビデオクリップを取得する。
【００３３】
記憶保持部４０は、ビデオクリップやＥＰＧデータなどを保存する。
【００３４】
映像選択部５０は、デコード処理された放送信号または記憶保持部４０に保存されたビデオクリップを選択し、表示部６０に表示させる。
【００３５】
制御部７０は、放送波受信部１０、デコード処理部２０、ビデオクリップ取得部３０、記憶保持部４０、映像選択部５０、表示部６０を制御し、ビデオクリップ表示装置１全体の制御を行う。
【００３６】
リモコン受信部８０は、リモコンからの信号を受信し、そのリモコン信号を制御部７０に出力する。
【００３７】
図１に示すビデオクリップ表示装置１は、放送波、またはインターネットを通じて、ビデオクリップを取得し、記憶保持部４０に保存している。
【００３８】
まず、放送波は、放送波受信部１０で受信し、デコード処理部２０でデコードした後、デコードされたビデオクリップをビデオクリップ取得部３０で取得し、記憶保持部４０で保存する。
【００３９】
しかし、インターネットからでは、デコード処理部２０でのデコード処理は必要なく、受信後、すぐにビデオクリップ取得部３０でビデオクリップを取得し、記憶保持部４０に保存する。
【００４０】
また、記憶保持部４０で保存されたビデオクリップを表示させるには、映像選択部５０により選択され、表示部６０に表示される。
【００４１】
このビデオクリップの表示例としては、例えば、クリップモードとしての表示の場合は、図２に示すように、表示されたビデオクリップの表示内に、クリップモードの表示であることを示す「クリップモード」２１、現在表示しているクリップモードの「チャンネル」２２、「時間帯（開始時間と終了時間）」２３が表示されている。
【００４２】
＜記憶保持部の保存データ＞
次に、図３および図４により、本発明の一実施の形態に係るビデオクリップ表示装置の記憶保持部の保存データについて説明する。図３は本発明の一実施の形態に係るビデオクリップ表示装置の記憶保持部の保存データを説明するための説明図、図４は本発明の一実施の形態に係るビデオクリップ表示装置の記憶保持部のビデオクリップ情報蓄積配列の一例を示す図である。
【００４３】
図３に示すように、記憶保持部４０には、ＥＰＧの情報から取得された、番組表、時間帯、チャンネルなどの番組情報や、ビデオクリップ取得部３０で取得されたビデオクリップが保存されている。これらの番組情報およびビデオクリップが随時保存されると共に、ビデオクリップがない場合にビデオクリップの代わりに表示されるデフォルト画面なども保存されている。
【００４４】
また、記録保持部４０内の蓄積配列の一例としては、図４に示すように「日にち」「開始時間」「終了時間」「ｃｈ（チャンネル）」「ジャンル」「タイトル」「その他のＥＰＧデータ」などのＥＰＧから取得される情報と共にビデオクリップデータへのポインタまたはデフォルト画像データへのポインタを記憶する。
【００４５】
これらのポインタとしては記録保持部４０をメモリで構成する場合にはアドレス、ファイルシステムで構成される場合にはパス名を含むファイル名やｉノード番号を用いればよい。
【００４６】
これらのポインタはＥＰＧ情報の取得時かクリップデータ取得時に、既に取得されているビデオクリップのデータあるいはＥＰＧ情報のデータ、デフォルト画像のデータを「日にち」「開始時間」「終了時間」「ｃｈ」「タイトル」「ジャンル」などをキーにしてサーチする事によって得ることができる。
【００４７】
図４の例では「ＥＰＧ  Ｎｏ．１」の番組は対応するビデオクリップへのポインタを保持しているが、「ＥＰＧ  Ｎｏ．２」の番組はデフォルト画像へのポインタを保持している。対応するビデオクリップ、デフォルト画像が共に見つからなかった場合は、表示時にＥＰＧ情報自身を表示させるために、たとえばダミーのＮＵＬＬポインタを保持させる。
【００４８】
＜ビデオクリップ表示装置の動作＞
次に、図５〜図１０により、本発明の一実施の形態に係るビデオクリップ表示装置の動作について説明する。図５〜図１０は、本発明の一実施の形態に係るビデオクリップ表示装置の動作を説明するための図であり、それぞれ、図５および図６はビデオクリップ取得動作を示すフローチャート、図７はビデオクリップ取得処理の動作を示すフローチャート、図８はクリップモード処理の動作を示すフローチャート、図９はクリップモードへの移行時の動作を説明するための説明図、図１０は各モードへの継承を説明するための説明図である。
【００４９】
インターネットからのビデオクリップ取得動作としては、図５に示すように、まず、インターネットから送られてくるビデオクリップを一定時間毎にサーチして（Ｓ１００）、新しく配信されたビデオクリップがあるか否かを判断する（Ｓ１０１）。
【００５０】
Ｓ１０１で新しく配信されたビデオクリップがあると判断されれば、ビデオクリップ取得処理を行いＥＰＧデータとビデオクリップをリンクさせる（Ｓ１０２）。
【００５１】
なお、Ｓ１０２でのビデオクリップ取得処理では、ＥＰＧデータ対応するビデオクリップがない場合には、ＥＰＧデータに関連するデフォルト画像やＥＰＧデータ内の情報をリンクさせる状態で処理を終了し、再度新しく配信されたビデオクリップを取得した際に、ＥＰＧデータに対応するビデオクリップがあればリンクするようになっている。
【００５２】
また、Ｓ１０１で新しく配信されたビデオクリップがないと判断されれば、処理を終了する。
【００５３】
そして、Ｓ１０２でのビデオクリップ取得処理後、まだＥＰＧデータとリンクさせていないビデオクリップがあるか否かを判断し（Ｓ１０３）、Ｓ１０３でＥＰＧデータとリンクさせていないビデオクリップがあると判断されれば、Ｓ１０１に戻り、再びインターネットからビデオクリップサーチを行い、ビデオクリップ取得処理を行う。
【００５４】
また、Ｓ１０３でＥＰＧデータとリンクさせていないビデオクリップがないと判断されれば、ビデオクリップサーチを終了する。
【００５５】
また、放送波からのビデオクリップ取得動作としては、図６に示すように、まず、インターネットから送られてくるビデオクリップを随時サーチして（Ｓ１１０）、新しく配信されたビデオクリップがあるか否かを判断する（Ｓ１１１）。
【００５６】
Ｓ１１１で新しく配信されたビデオクリップがあると判断されれば、ビデオクリップ取得処理を行いＥＰＧデータとビデオクリップをリンクさせる（Ｓ１１２）。
【００５７】
なお、Ｓ１１２でのビデオクリップ取得処理では、ＥＰＧデータ対応するビデオクリップがない場合には、ＥＰＧデータに関連するデフォルト画像やＥＰＧデータ内の情報をリンクさせる状態で処理を終了し、再度新しく配信されたビデオクリップを取得した際に、ＥＰＧデータに対応するビデオクリップがあればリンクするようになっている。
【００５８】
また、Ｓ１１１で新しく配信されたビデオクリップがないと判断されれば、処理を終了する。
【００５９】
そして、Ｓ１１２でのビデオクリップ取得処理後、まだＥＰＧデータとリンクさせていないビデオクリップがあるか否かを判断し（Ｓ１１３）、Ｓ１１３でＥＰＧデータとリンクさせていないビデオクリップがあると判断されれば、Ｓ１１１に戻り、再びインターネットからビデオクリップサーチを行い、ビデオクリップ取得処理を行う。
【００６０】
また、Ｓ１１３でＥＰＧデータとリンクさせていないビデオクリップがないと判断されれば、ビデオクリップサーチを終了する。
【００６１】
また、図５のＳ１０２および図６のＳ１１２でのビデオクリップ取得処理の動作としては、図７に示すように、まずＥＰＧデータに対応するビデオクリップがあるか否かを判断する（Ｓ１２０）。
【００６２】
Ｓ１２０でＥＰＧデータに対応するビデオクリップがあると判断されると、インターネットまたは放送波からビデオクリップを取得し保存し（Ｓ１２１）、ビデオクリップとＥＰＧデータをリンクする（Ｓ１２２）。
【００６３】
また、Ｓ１２０でＥＰＧデータに対応するビデオクリップがないと判断されると、ＥＰＧデータ（ジャンル）よりビデオクリップの代わりとなるデフォルト画像があるか否かを判断する（Ｓ１２３）。
【００６４】
Ｓ１２３でＥＰＧデータ（ジャンル）よりデフォルト画像があると判断されれば、デフォルト画像とＥＰＧデータをリンクし（Ｓ１２４）、Ｓ１２３でＥＰＧデータ（ジャンル）よりデフォルト画像がないと判断されれば、ＥＰＧデータにＥＰＧデータ自体をリンクする（Ｓ１２５）。
【００６５】
なお、本実施の形態で取得するビデオクリップとしては、例えば、連続物のドラマやアニメの最後に流される次回予告の部分や番組を宣伝するために作成される番組ＣＭなどを用いることができる。また、番組制作者とは別の組織が作成するビデオクリップを用いてもよい。
【００６６】
また、ビデオクリップの取得としては、ＥＰＧ情報と共に配信する方法やＥＰＧ情報にはＵＲＬを配信し、ビデオクリップはそのＵＲＬを用いインターネット経由で取得する方法を用いてもよい。
【００６７】
また、本実施の形態では、通常のＴＶを視聴するためのＴＶモード、ＥＰＧによる操作を行うためのＥＰＧモード、番組のビデオクリップを表示するためのクリップモードの３つの表示モードを有しており、各モード間の切り替えは、例えば、画面上のメニューによる選択操作やリモコンのボタンなどにより行うようになっている。
【００６８】
なお、リモコンによる操作の場合には、ＴＶモードとＥＰＧモードの切り替えボタンをクリップモードへの切り替えボタンと共有して、ＴＶモード、ＥＰＧモード、クリップモードの切り替えボタンとして、使用してもいいし、専用のクリップモードボタンなどをリモコンに設けるようにしてもよい。
【００６９】
クリップモードの選択やリモコンのクリップモードボタンを押下した時のクリップモードに移行する動作としては、図８に示すように、まず、クリップモードの選択やリモコンのクリップモードボタンを押下した時の状況を判別するために、現在の状態がＴＶモードであるか否かを判断する（Ｓ１３０）。
【００７０】
Ｓ１３０で現在の状態がＴＶモードであると判断されれば、現在視聴中の番組とリンクされたビデオクリップまたは、デフォルト画像かＥＰＧデータを表示する（Ｓ１３１）。
【００７１】
また、Ｓ１３０で現在の状態がＴＶモードでないと判断されれば、現在の状態がＥＰＧモードであるか否かを判断する（Ｓ１３２）。
【００７２】
Ｓ１３２で現在の状態がＥＰＧモードであると判断されれば、ＥＰＧにより選択された番組とリンクされたビデオクリップまたは、デフォルト画像かＥＰＧデータを表示する（Ｓ１３３）。
【００７３】
また、Ｓ１３２で現在の状態がＥＰＧモードでないと判断されれば、現在の状態はクリップモードであるので、処理を終了し、現在のクリップモードによる表示を継続する。
【００７４】
この動作によるビデオクリップの再生動作の具体例としては、現在、ＴＶモードで２ｃｈ、８：００の番組を視聴している状態で、例えば、リモコンのクリップモードボタンが押された場合は、図９（ａ）に示すように、クリップモードに移行した後、２ｃｈ、８：００の番組に対応したビデオクリップを再生する。
【００７５】
また、現在、ＥＰＧモードで１ｃｈ、１０：００の番組を選択している状態で、例えば、リモコンのクリップモードボタンが押された場合は、図９（ｂ）に示すように、クリップモードに移行した後、１ｃｈ、１０：００の番組に対応したビデオクリップを再生する。
【００７６】
各モード間の移行も同様に、図１０に示すように、ＴＶモード、ＥＰＧモード、クリップモードに移行する際には、現在、表示または選択している番組が表示または選択した状態の表示として継承されるようになっている。
【００７７】
＜ビデオクリップ表示装置の表示例＞
次に、図１１〜図１６により、本発明の一実施の形態に係るビデオクリップ表示装置のクリップモードの表示モードについて説明する。図１１〜図１６は、本発明の一実施の形態に係るビデオクリップ表示装置のクリップモード表示モードを説明するための図であり、図１１はクリップモードの自動チャンネル更新モードを説明するための説明図、図１２はクリップモードの自動チャンネル更新モード（スキップ）を説明するための説明図、図１３はクリップモードの自動番組更新モードを説明するための説明図、図１４はクリップモードの自動番組更新モード（スキップ）を説明するための説明図、図１５はクリップモードの自動時間帯更新モードを説明するための説明図、図１６はクリップモードの自動時間帯更新モード（スキップ）を説明するための説明図である。
【００７８】
本実施の形態では、クリップモードに移行した際には、上述したように、ＴＶモードで視聴されていた番組、またはＥＰＧモードで選択されていた番組のビデオクリップが表示される。
【００７９】
そして、その後に表示するビデオクリップについては、クリップモードの表示モードにより異なるビデオクリップが表示される。
【００８０】
まず、表示モードが、自動チャンネル更新モードの場合には、図１１に示すように、再生中のビデオクリップが終了した後に、連続して同時間帯の別チャンネルの番組ビデオクリップを選択して表示する。
【００８１】
また、自動チャンネル更新モードによる表示中に、リモコン操作によりチャンネルＵＰやチャンネルＤｏｗｎ操作を行うことにより、図１２に示すように、ビデオクリップの表示中に、ビデオクリップをスキップして次のチャンネルのビデオクリップや前のチャンネルのビデオクリップを表示することができる。
【００８２】
このリモコン操作によるチャンネルＵＰやチャンネルＤｏｗｎ操作は、例えば、リモコンの上ボタンおよび下ボタンなどを操作することにより行うことができる。
【００８３】
また、表示モードが、自動番組更新モードの場合には、図１３に示すように、再生中のビデオクリップが終了した後に、連続して同チャンネルの別時間帯の番組ビデオクリップを選択して表示する。
【００８４】
また、自動番組更新モードによる表示中に、リモコン操作により、次の番組や前の番組操作を行うことにより、図１４に示すように、ビデオクリップの表示中に、ビデオクリップをスキップして次の時間の番組のビデオクリップや前の時間の番組のビデオクリップを表示することができる。
【００８５】
このリモコン操作による次の番組や前の番組操作は、例えば、リモコンの左ボタンおよび右ボタンなどを操作することにより行うことができる。
【００８６】
また、表示モードが、自動時間帯更新モードの場合には、図１５に示すように、再生中のビデオクリップが終了した後に、連続して再生が始まった時間から３０分後に放送される番組のビデオクリップを選択して表示する。
【００８７】
また、自動時間帯更新モードによる表示中に、リモコン操作により、次の時間帯や前の時間帯操作を行うことにより、図１６に示すように、ビデオクリップの表示中に、ビデオクリップをスキップして次の時間帯の番組のビデオクリップや前の時間帯の番組のビデオクリップを表示することができる。
【００８８】
このリモコン操作による次の時間帯や前の時間帯操作は、例えば、リモコンの左ボタンおよび右ボタンなどを操作することにより行うことができる。
【００８９】
以上のように、本実施の形態では、チャンネル連続切り替え法に相当する直感的で簡単確実に番組を選択する方法を提供するために、番組を紹介するビデオクリップをあらかじめビデオクリップ表示装置１内に保存しておき、チャンネル連続切り替え法で用いる放送中の映像の代わりに保存してあるビデオクリップの映像を用いる新たな映像表示モード（クリップモード）を設け、ビデオクリップ表示装置１の記憶保持部４０にあらかじめ保存されたビデオクリップを用いるため、十分に高い処理性能のデコーダを用いるか、より高速にデコード可能な符号化方法を用いるか、エンコードされたファイルの始めの一部を前もってデコードしておくことによって、第１の問題は解決される。
【００９０】
また、保存されているのは番組を紹介するビデオクリップだけであるため、ＣＭ中で番組の情報が取得できないということはなく、また、次の時間帯のビデオクリップを見ることも可能になるため、第２の問題は発生しない。
【００９１】
また、チャンネルサーフィンに相当する機能を、放送中の映像の代わりに保存してあるビデオクリップの映像を用いて実現する場合も同様に、ビデオクリップ表示装置１の記憶保持部４０にあらかじめ保存されたビデオクリップを用いるため、十分に高い処理性能のデコーダを用いるか、より高速にデコード可能な符号化方法を用いるか、エンコードされたファイルの始めの一部を前もってデコードしておくことによって、第３の問題は解決される。
【００９２】
また、ビデオクリップ表示装置１の記憶保持部４０にあらかじめ保存されたビデオクリップを用いるため、複数のチャンネル分のビデオクリップを取得するために複数のチューナが必要になることはなく、第４の問題は発生しない。
【００９３】
また、ビデオクリップをＥＰＧ画面に表示する方法に対し、ビデオクリップを再生する専用のモードを設け、放送中の映像の代わりに保存してあるビデオクリップの映像を用いることにより、放送中の映像と同様の映像情報を取得することが可能であり第５の問題は発生しない。
【００９４】
また、クリップモードでもチャンネル連続切り替え法に相当するスムースな操作が可能であり、第６の問題も解決される。
【００９５】
さらに、ビデオクリップを再生する専用のクリップモードを設けることにより、クリップモード特有の機能や操作方法を設け視聴者の使い勝手を向上させることができる。
【図面の簡単な説明】
【００９６】
【図１】本発明の一実施の形態に係るビデオクリップ表示装置の構成を示す構成図である。
【図２】本発明の一実施の形態に係るビデオクリップ表示装置のビデオクリップ表示例を示す図である。
【図３】本発明の一実施の形態に係るビデオクリップ表示装置の記憶保持部の保存データを説明するための説明図である。
【図４】本発明の一実施の形態に係るビデオクリップ表示装置の記憶保持部のビデオクリップ情報蓄積配列の一例を示す図である。
【図５】本発明の一実施の形態に係るビデオクリップ表示装置のビデオクリップ取得動作を示すフローチャートである。
【図６】本発明の一実施の形態に係るビデオクリップ表示装置のビデオクリップ取得動作を示すフローチャートである。
【図７】本発明の一実施の形態に係るビデオクリップ表示装置のビデオクリップ取得処理の動作を示すフローチャートである。
【図８】本発明の一実施の形態に係るビデオクリップ表示装置のクリップモード処理の動作を示すフローチャートである。
【図９】本発明の一実施の形態に係るビデオクリップ表示装置のクリップモードへの移行時の動作を説明するための説明図である。
【図１０】本発明の一実施の形態に係るビデオクリップ表示装置の各モードへの継承を説明するための説明図である。
【図１１】本発明の一実施の形態に係るビデオクリップ表示装置のクリップモードの自動チャンネル更新モードを説明するための説明図である。
【図１２】本発明の一実施の形態に係るビデオクリップ表示装置のクリップモードの自動チャンネル更新モード（スキップ）を説明するための説明図である。
【図１３】本発明の一実施の形態に係るビデオクリップ表示装置のクリップモードの自動番組更新モードを説明するための説明図である。
【図１４】本発明の一実施の形態に係るビデオクリップ表示装置のクリップモードの自動番組更新モード（スキップ）を説明するための説明図である。
【図１５】本発明の一実施の形態に係るビデオクリップ表示装置のクリップモードの自動時間帯更新モードを説明するための説明図である。
【図１６】本発明の一実施の形態に係るビデオクリップ表示装置のクリップモードの自動時間帯更新モード（スキップ）を説明するための説明図である。
【符号の説明】
【００９７】
１…ビデオクリップ表示装置、１０…放送波受信部、２０…デコード処理部、３０…ビデオクリップ取得部、４０…記憶保持部、５０…映像選択部、６０…表示部、７０…制御部、８０…リモコン受信部。
【図１】
2006191348.tif 000003
【図２】
2006191348.tif 000004
【図３】
2006191348.tif 000005
【図４】
2006191348.tif 000006
【図５】
2006191348.tif 000007
【図６】
2006191348.tif 000008
【図７】
2006191348.tif 000009
【図８】
2006191348.tif 000010
【図９】
2006191348.tif 000011
【図１０】
2006191348.tif 000012
【図１１】
2006191348.tif 000013
【図１２】
2006191348.tif 000014
【図１３】
2006191348.tif 000015
【図１４】
2006191348.tif 000016
【図１５】
2006191348.tif 000017
【図１６】
2006191348.tif 000018